(57)【要約】【課題】連結ラインの接続の適否をより精度よく判定することができる血液浄化装置を提供する。【解決手段】配管部又は血液回路の一方の流路に対して陰圧又は陽圧を付与させる圧力付与工程と、圧力付与工程で付与された陰圧又は陽圧を、連通ラインを介して配管部又は血液回路の他方の流路に伝播させる伝播工程と、圧力検出手段で検出される圧力に基づいて伝播工程による陰圧又は陽圧の伝播の有無を確認するとともに、当該陰圧又は陽圧の伝播の有無に基づいて連通ラインの接続の適否を判定する判定工程とを行わせ得る制御手段１６を具備したものである。【選択図】図２
2017131276.tif 000002
【特許請求の範囲】
【請求項１】
患者の血液を体外循環可能な動脈側血液回路及び静脈側血液回路を有する血液回路と、
前記動脈側血液回路と静脈側血液回路との間に接続され、当該血液回路を流れる血液を浄化する血液浄化手段と、
該血液浄化手段に透析液を導入する透析液導入ライン及び当該血液浄化手段から透析液を排出する透析液排出ラインを含む配管部と、
前記配管部内の圧力又は前記血液回路内の圧力を検出し得る圧力検出手段と、
前記配管部及び前記血液回路に接続されて、前記配管部の流路と前記血液回路の流路とを連通し得る連通ラインと、
前記配管部又は前記血液回路に配設された任意のクランプ手段の開閉、任意のポンプの駆動を制御し得る制御手段と、
を備えた血液浄化装置において、
前記制御手段は、前記制御によって、
前記配管部又は前記血液回路の一方の流路に対して陰圧又は陽圧を付与させる圧力付与工程と、
前記圧力付与工程で付与された陰圧又は陽圧を、前記連通ラインを介して前記配管部又は前記血液回路の他方の流路に伝播させる伝播工程と、
前記圧力検出手段で検出される圧力に基づいて前記伝播工程による陰圧又は陽圧の伝播の有無を確認するとともに、当該陰圧又は陽圧の伝播の有無に基づいて前記連通ラインの接続の適否を判定する判定工程と、
を行わせ得ることを特徴とする血液浄化装置。
【請求項２】
前記判定工程は、前記連通ラインの接続の適否に加え、前記血液回路の流路の閉塞を判定し得ることを特徴とする請求項１記載の血液浄化装置。
【請求項３】
前記圧力付与工程は、前記配管部の流路に対して陰圧又は陽圧を付与させるとともに、前記伝播工程は、前記連通ラインを介して前記血液回路の流路に陰圧又は陽圧を伝播させることを特徴とする請求項１又は請求項２記載の血液浄化装置。
【請求項４】
前記圧力付与工程は、前記配管部の流路に対して陰圧を付与させることを特徴とする請求項３記載の血液浄化装置。
【請求項５】
前記圧力付与工程は、前記血液回路の流路に対して陰圧又は陽圧を付与させるとともに、前記伝播工程は、前記連通ラインを介して前記配管部の流路に陰圧又は陽圧を伝播させることを特徴とする請求項１又は請求項２記載の血液浄化装置。
【請求項６】
前記連通ラインは、前記配管部における前記透析液排出ライン又はその分岐ラインに形成された接続ポートに接続可能とされたことを特徴とする請求項１〜５の何れか１つに記載の血液浄化装置。
【発明の詳細な説明】
【技術分野】
【０００１】
本発明は、患者の血液を体外循環させつつ浄化するための血液浄化装置に関するものである。
【背景技術】
【０００２】
近年、血液浄化装置としての透析装置では、透析治療時において、ダイアライザに供給するための透析液を用いてプライミング、返血及び補液（緊急補液）を行う技術や、当該透析液をオンラインＨＤＦやオンラインＨＦの治療のための置換液として利用する技術が提案されるに至っている。例えば、特許文献１には、透析装置本体内の透析液導入ラインと血液回路とに接続された透析液供給ラインを具備し、透析液導入ラインの透析液を透析液供給ラインを介して血液回路に供給することにより、プライミングや返血等を行い得るものが提案されている。
【０００３】
また、透析装置本体内の透析液排出ラインと血液回路とに接続されたオーバーフローラインを具備し、血液回路に供給された生理食塩液等の置換液をオーバーフローラインを介して透析液排出ラインにて排出させることにより、プライミング等を行い得るものも検討されるに至っている。このように、近時においては、透析液導入ラインや透析液排出ラインを含む透析装置本体内の配管部と患者の血液を体外循環させる血液回路との間に接続された透析液供給ラインやオーバーフローライン等の連通ラインを具備した血液浄化装置が提案されている。このような血液浄化装置の前記配管部はその内部に流路を備え、そして前記血液回路はその内部に流路を備えており、前記配管部または前記血液回路には、１または２以上のクランプ手段（例えば、電磁弁）、そして、１または２以上のポンプが配設されている。
【先行技術文献】
【特許文献】
【０００４】
【特許文献１】特開２００４−３１３５２２号公報
【発明の概要】
【発明が解決しようとする課題】
【０００５】
上記従来の血液浄化装置においては、以下の如き問題があった。
通常、例えばプライミング前において、血液回路が透析液排出ライン（上記配管部）に正常に接続されているか否かを判定するための接続確認テストが実施されている。通常の接続確認テストにおいては、プライミング前（すなわち、血液回路にプライミング液が供給されて充填される前）、血液ポンプを駆動して血液回路内部およびオーバーフローライン（連結ライン）を加圧するとともに、例えば静脈側エアトラップチャンバに取り付けられた静脈圧センサにて血液回路内の圧力上昇を検知し、更にその圧力が所定時間保持されるか否かを確認することにより、血液回路が正常に接続されているか否かを判定していた。
【０００６】
しかしながら、上記の如き透析装置本体内の配管部と血液回路とに接続された連結ラインを具備した血液浄化装置においては、接続確認テスト前、医療従事者が誤って動脈側血液回路の先端と静脈側血液回路の先端とを接続して閉回路とした場合、接続確認テストで血液回路を加圧すると、連結ラインが上記配管部に接続されていなくても静脈圧が上昇してしまうので、正常に接続されていると判定してしまう虞があった。
【０００７】
本発明は、このような事情に鑑みてなされたもので、連結ラインの接続の適否をより精度よく判定することができる血液浄化装置を提供することにある。
【課題を解決するための手段】
【０００８】
請求項１記載の発明は、患者の血液を体外循環可能な動脈側血液回路及び静脈側血液回路を有する血液回路と、前記動脈側血液回路と静脈側血液回路との間に接続され、当該血液回路を流れる血液を浄化する血液浄化手段と、該血液浄化手段に透析液を導入する透析液導入ライン及び当該血液浄化手段から透析液を排出する透析液排出ラインを含む配管部と、前記配管部内の圧力又は前記血液回路内の圧力を検出し得る圧力検出手段と、前記配管部及び前記血液回路に接続されて、前記配管部の流路と前記血液回路の流路とを連通し得る連通ラインと、前記配管部又は前記血液回路に配設された任意のクランプ手段の開閉、任意のポンプの駆動を制御し得る制御手段とを備えた血液浄化装置において、前記制御手段は、前記制御によって、前記配管部又は前記血液回路の一方の流路に対して陰圧又は陽圧を付与させる圧力付与工程と、前記圧力付与工程で付与された陰圧又は陽圧を、前記連通ラインを介して前記配管部又は前記血液回路の他方の流路に伝播させる伝播工程と、前記圧力検出手段で検出される圧力に基づいて前記伝播工程による陰圧又は陽圧の伝播の有無を確認するとともに、当該陰圧又は陽圧の伝播の有無に基づいて前記連通ラインの接続の適否を判定する判定工程とを行わせ得ることを特徴とする。
【０００９】
請求項２記載の発明は、請求項１記載の血液浄化装置において、前記判定工程は、前記連通ラインの接続の適否に加え、前記血液回路の流路の閉塞を判定し得ることを特徴とする。
【００１０】
請求項３記載の発明は、請求項１又は請求項２記載の血液浄化装置において、前記圧力付与工程は、前記配管部の流路に対して陰圧又は陽圧を付与させるとともに、前記伝播工程は、前記連通ラインを介して前記血液回路の流路に陰圧又は陽圧を伝播させることを特徴とする。
【００１１】
請求項４記載の発明は、請求項３記載の血液浄化装置において、前記圧力付与工程は、前記配管部の流路に対して陰圧を付与させることを特徴とする。
【００１２】
請求項５記載の発明は、請求項１又は請求項２記載の血液浄化装置において、前記圧力付与工程は、前記血液回路の流路に対して陰圧又は陽圧を付与させるとともに、前記伝播工程は、前記連通ラインを介して前記配管部の流路に陰圧又は陽圧を伝播させることを特徴とする。
【００１３】
請求項６記載の発明は、請求項１〜５の何れか１つに記載の血液浄化装置において、前記連通ラインは、前記配管部における前記透析液排出ライン又はその分岐ラインに形成された接続ポートに接続可能とされたことを特徴とする。
【発明の効果】
【００１４】
請求項１の発明によれば、制御手段は、制御によって、配管部又は血液回路の一方の流路に対して陰圧又は陽圧を付与させる圧力付与工程と、圧力付与工程で付与された陰圧又は陽圧を、連通ラインを介して配管部又は血液回路の他方の流路に伝播させる伝播工程と、圧力検出手段で検出される圧力に基づいて伝播工程による陰圧又は陽圧の伝播の有無を確認するとともに、当該陰圧又は陽圧の伝播の有無に基づいて連通ラインの接続の適否を判定する判定工程とを行わせ得るので、連結ラインの接続の適否をより精度よく判定することができる。
【００１５】
請求項２の発明によれば、判定工程は、連通ラインの接続の適否に加え、血液回路の流路の閉塞を判定し得るので、連結ラインの接続の適否と共に血液回路の閉塞について精度よく判定することができる。
【００１６】
請求項３の発明によれば、圧力付与工程は、配管部の流路に対して陰圧又は陽圧を付与させるとともに、伝播工程は、連通ラインを介して血液回路の流路に陰圧又は陽圧を伝播させるので、血液回路が如何なる状態（例えば血液回路が患者に穿刺された状態等）であっても、連結ラインの接続の適否を精度よく判定させることができる。
【００１７】
請求項４の発明によれば、圧力付与工程は、配管部の流路に対して陰圧を付与させるので、配管部で形成された陰圧が血液回路に伝播することとなり、陽圧が伝播して配管部内の透析液が意図せず血液回路に流入してしまうのを防止することができる。
【００１８】
請求項５の発明によれば、圧力付与工程は、血液回路の流路に対して陰圧又は陽圧を付与させるとともに、伝播工程は、連通ラインを介して配管部の流路に陰圧又は陽圧を伝播させるので、配管部が如何なる状態であっても、連結ラインの接続の適否を精度よく判定させることができる。
【００１９】
請求項６の発明によれば、連通ラインは、配管部における透析液排出ライン又はその分岐ラインに形成された接続ポートに接続可能とされたので、例えばプライミング時、血液回路内のプライミング液を透析液排出ライン又はその分岐ラインにて排出させることができるとともに、接続確認テストにおいて、その連通ラインの接続の適否を精度よく判定させることができる。
【図面の簡単な説明】
【００２０】
【図１】本発明の第１の実施形態に係る血液浄化装置を示す模式図
【図２】同血液浄化装置における制御内容を示すフローチャート
【図３】同血液浄化装置における接続確認テスト中の状態を示す模式図
【図４】同血液浄化装置における接続確認テスト中の状態を示す模式図
【図５】同血液浄化装置における接続確認テスト中の状態を示す模式図
【図６】同血液浄化装置における接続確認テスト中の状態を示す模式図
【図７】同血液浄化装置における接続確認テスト中の状態を示す模式図
【図８】同血液浄化装置における接続確認テスト中の圧力の経過を示すグラフ
【図９】本発明の第２の実施形態に係る血液浄化装置における制御内容を示すフローチャート
【図１０】本発明の第３の実施形態に係る血液浄化装置における制御内容を示すフローチャート
【図１１】同血液浄化装置における接続確認テスト中の状態を示す模式図
【図１２】同血液浄化装置における接続確認テスト中の状態を示す模式図
【図１３】本発明の第４の実施形態に係る血液浄化装置における制御内容を示すフローチャート
【図１４】同血液浄化装置における接続確認テスト中の状態を示す模式図
【図１５】同血液浄化装置における接続確認テスト中の状態を示す模式図
【図１６】本発明の第５の実施形態に係る血液浄化装置における制御内容を示すフローチャート
【図１７】同血液浄化装置における接続確認テスト中の状態を示す模式図
【図１８】同血液浄化装置における接続確認テスト中の状態を示す模式図
【図１９】同血液浄化装置における接続確認テスト中の状態を示す模式図
【図２０】同血液浄化装置における接続確認テスト中の状態を示す模式図
【発明を実施するための形態】
【００２１】
以下、本発明の実施形態について図面を参照しながら具体的に説明する。
第１の実施形態に係る血液浄化装置は、患者の血液を体外循環させつつ浄化し得る血液浄化治療（血液透析治療）で使用されるもので、図１に示すように、患者の血液を体外循環可能な動脈側血液回路２及び静脈側血液回路３を有する血液回路と、動脈側血液回路２と静脈側血液回路３との間に接続され、当該血液回路を流れる血液を浄化するダイアライザ１（血液浄化手段）と、透析装置本体Ｂ内に配設された透析液導入ラインＬ１及び透析液排出ラインＬ２を含む配管部と、制御手段１６とを具備して構成されている。
【００２２】
ダイアライザ１は、血液を浄化するためのもので、ポート１ａ、１ｂを介して血液回路を構成する動脈側血液回路２及び静脈側血液回路３とそれぞれ接続されるとともに、ポート１ｃ、１ｄを介して透析液導入ラインＬ１及び透析液排出ラインＬ２とそれぞれ接続されている。動脈側血液回路２には、しごき型ポンプから成る血液ポンプ４が配設されており、かかる血液ポンプ４を駆動させることにより、血液回路にて透析液等の液体を送液させ得るようになっている。
【００２３】
また、動脈側血液回路２の先端及び静脈側血液回路３の先端には、それぞれ動脈側穿刺針及び静脈側穿刺針が取り付け可能とされており、これら動脈側穿刺針及び静脈側穿刺針を患者に穿刺させつつ血液ポンプ４を駆動させることにより、動脈側穿刺針から採取された患者の血液を血液回路にて体外循環させ、ダイアライザ１にて血液浄化及び除水した後、静脈側穿刺針から患者に戻すようになっている。
【００２４】
動脈側血液回路２におけるクランプ手段Ｖａと血液ポンプ４との間には、供給ラインＬｃを介して生理食塩液（プライミングや返血等で使用する置換液）を収容した収容バッグｂが接続されており、供給ラインＬｃの途中に配設されたクランプ手段Ｖｃを開状態とすることにより、収容バッグｂ内の生理食塩液を動脈側血液回路２に供給して血液回路のプライミングや返血等を行い得るようになっている。なお、血液回路に供給される置換液は、生理食塩液に限定されず、他の置換液であってもよい。
【００２５】
さらに、動脈側血液回路２における血液ポンプ４より上流側（血液ポンプ４とクランプ手段Ｖａとの間）には、その部位の圧力（液圧）を検出して治療時における動脈圧（脱血圧）を測定し得る圧力検出手段αがチャンバ１５を介して接続されている。なお、動脈側血液回路２には、エアトラップチャンバ５が接続され、先端側（動脈側血液回路２の供給ラインＬｃが接続された部位より上流側）にクランプ手段Ｖａが配設されるとともに、静脈側血液回路３には、エアトラップチャンバ６が接続され、先端側（静脈側血液回路３のエアトラップチャンバ６が接続された部位より下流側）にクランプ手段Ｖｂが配設されている。このエアトラップチャンバ６には、治療時における血液回路内の静脈圧を検出し得る圧力検出手段βが接続されている。すなわち、圧力検出手段αにより動脈側血液回路２内の圧力（動脈圧）を検出し得るとともに、圧力検出手段βにより静脈側血液回路３内の圧力（静脈圧）を検出し得るよう構成されている。
【００２６】
またさらに、透析液導入ラインＬ１及び透析液排出ラインＬ２には、所定濃度に調製された透析液をダイアライザ１に供給し、当該ダイアライザ１から排出させる送液ポンプとしての複式ポンプ７が接続されている。すなわち、透析液導入ラインＬ１及び透析液排出ラインＬ２に跨って複式ポンプ７が配設されており、かかる複式ポンプ７を駆動させることにより、ダイアライザ１に対して透析液導入ラインＬ１にて透析液を導入及び透析液排出ラインＬ２にて透析液を排出させ得るよう構成されているのである。
【００２７】
また、透析液導入ラインＬ１には、フィルタ１１、１２が接続されており、ダイアライザ１に導入する透析液をフィルタ１１、１２にて濾過し得るとともに、電磁弁Ｖ１、Ｖ７、Ｖ８にて任意タイミングで流路を遮断又は開放可能とされている。なお、透析液導入ラインＬ１は、バイパスラインＬ７、Ｌ８、Ｌ９にて透析液排出ラインＬ２と接続されており、これらバイパスラインＬ７、Ｌ８、Ｌ９には、電磁弁Ｖ３、Ｖ４、Ｖ１２がそれぞれ接続されている。さらに、透析液導入ラインＬ１には、当該透析液導入ラインＬ１を流れる透析液を採取可能な採取口１０（サンプルポート）が接続されている。
【００２８】
透析液排出ラインＬ２は、電磁弁Ｖ２、Ｖ９にて任意タイミングで流路を遮断又は開放可能とされているとともに、複式ポンプ７を迂回する迂回ラインＬ３、Ｌ４が接続されており、迂回ラインＬ３には除水ポンプ８が接続されている。なお、迂回ラインＬ４には、電磁弁Ｖ５が接続されている。これにより、血液回路にて患者の血液を体外循環させる過程で除水ポンプ８を駆動させることにより、ダイアライザ１を流れる血液から水分を取り除いて除水し得るようになっている。
【００２９】
さらに、透析液排出ラインＬ２における複式ポンプ７より上流側（図中左側）には、当該複式ポンプ７における透析液排出ラインＬ２の液圧調整を行う加圧ポンプ９が接続されており、当該加圧ポンプ９と複式ポンプ７との間からは、脱ガスチャンバ１３を介して迂回ラインＬ５が延設されている。かかる脱ガスチャンバ１３は、複式ポンプ７より上流側の透析液排出ラインＬ２を流れる透析液中の気泡を捕捉し、複式ポンプ７を迂回して外部へ排出させるためのものである。
【００３０】
この迂回ラインＬ５には、電磁弁Ｖ６が接続されており、その電磁弁Ｖ６より上流側（チャンバ１３と電磁弁Ｖ６との間）とバイパスラインＬ９との間には、これらの流路を連通する分岐ラインＬ１０が接続されている。かかる分岐ラインＬ１０には、電磁弁Ｖ１０及び電磁弁Ｖ１１が接続されており、当該電磁弁Ｖ１０と電磁弁Ｖ１１との間には、連通ラインＬａの先端を接続可能な接続ポート１４が取り付けられている。しかして、接続ポート１４に連通ラインＬａの一端を接続するとともに、その連通ラインＬａの他端をＹ字管ａを介して血液回路に接続することにより、血液回路内の液体（生理食塩液等の置換液）を透析液排出ラインＬ２まで流動させ得るようになっている。
【００３１】
また、透析液排出ラインＬ２における電磁弁Ｖ２より下流側（バイパスラインＬ７の接続部とバイパスラインＬ８の接続部との間）には、配管部内の圧力（透析液圧）を検出し得るセンサから成る圧力検出手段γが接続されている。なお、透析液排出ラインＬ２における迂回ラインＬ４の接続部と加圧ポンプ９との間から迂回ラインＬ３まで、迂回ラインＬ６が延設されており、かかる迂回ラインＬ６にはリリーフ弁ＶＬａが接続されている。さらに、透析液排出ラインＬ２における複式ポンプ７の下流側であって、迂回ラインＬ３と迂回ラインＬ４との接続部の間には、背圧弁ＶＬｂが接続されている。
【００３２】
透析装置本体Ｂは、ダイアライザ１に透析液を導入する透析液導入ラインＬ１及び当該ダイアライザ１から透析液を排出する透析液排出ラインＬ２を含む配管部と、制御手段１６とを有している。本発明に係る配管部は、透析液導入ラインＬ１及び透析液排出ラインＬ２の他、これら透析液導入ラインＬ１及び透析液排出ラインＬ２から分岐した迂回ライン（Ｌ３、Ｌ４、Ｌ５、Ｌ６）、バイパスライン（Ｌ７、Ｌ８、Ｌ９）及び分岐ラインＬ１０等を含み、透析液等を流通させ得るものである。
【００３３】
制御手段１６は、透析装置本体Ｂに配設されたマイコン等から成り、配管部又は血液回路に配設された任意のクランプ手段（例えば、電磁弁等）の開閉、任意のポンプの駆動を制御して、血液浄化治療やその治療前後の動作を行わせ得るものである。また、連通ラインＬａは、透析装置本体Ｂ内の配管部及び血液回路に接続されて、これら配管部の流路と血液回路の流路とを連通し得る流路から成り、本実施形態においては、Ｙ字管ａを介して動脈側血液回路２及び静脈側血液回路３と透析液排出ラインＬ２から分岐した分岐ラインＬ１０とを連通し得るようになっている。
【００３４】
例えば、本実施形態に係る血液浄化装置においては、血液浄化治療前のプライミング時、動脈側血液回路２及び静脈側血液回路３のそれぞれの先端にＹ字管ａを接続し、そのＹ字管の先端に連通ラインＬａの一端を接続するとともに、他端を接続ポート１４に接続する。この状態で制御手段１６による制御を行って任意のクランプ手段（電磁弁）及びポンプを駆動させることにより、収容バッグｂ内の生理食塩液を血液回路に供給及び充填させ、接続ポート１４を介して透析液排出ラインＬ２に排出させるようになっている。
【００３５】
ここで、本実施形態に係る制御手段１６は、プライミング前において、連通ラインＬａの接続確認テストを行い得るよう構成されている。接続確認テストは、図２に示すように、配管部又は血液回路の一方の流路（本実施形態においては配管部の流路）に対して陰圧又は陽圧（本実施形態においては陰圧）を付与させる圧力付与工程Ｓ１と、圧力付与工程Ｓ１で付与された陰圧又は陽圧を、連通ラインＬａを介して配管部又は血液回路の他方の流路（本実施形態においては血液回路の流路）に伝播させる伝播工程Ｓ３と、圧力検出手段（本実施形態においては圧力検出手段（α、β、γ））で検出される圧力に基づいて伝播工程Ｓ３による陰圧又は陽圧の伝播の有無を確認するとともに、当該陰圧又は陽圧の伝播の有無に基づいて連通ラインＬａの接続の適否を判定する判定工程（Ｓ５）とを行わせ得るようになっている。
【００３６】
以下、第１の実施形態に係る制御手段１６による接続確認テスト時の具体的制御について、図２のフローチャートを用いて説明する。
先ず、図１に示すように、動脈側血液回路２及び静脈側血液回路３の先端にＹ字管ａを接続するとともに、そのＹ字管ａの先端と接続ポート１４とに連通ラインＬａを接続した状態（プライミングを行うための状態）とする。そして、図３に示すように、配管部の電磁弁（Ｖ２、Ｖ３、Ｖ４、Ｖ５、Ｖ１０、Ｖ１１、Ｖ８又はＶ１２）を閉状態としつつ電磁弁（Ｖ６、Ｖ９）を開状態とし、その状態にて加圧ポンプ９を駆動させることにより、配管部の所定部位に陰圧部を形成する（圧力付与工程Ｓ１）。なお、クランプ手段Ｖｃは、接続確認テストの過程において閉状態が維持されるとともに、配管部における他の電磁弁（電磁弁Ｖ１、Ｖ７等）及び血液回路側の電磁弁やクランプ手段は、開状態及び閉状態の何れであってもよい。また、複式ポンプ７は、接続確認テストの過程において停止状態とされており、リリーフ弁ＶＬａ及び背圧弁ＶＬｂが閉状態となっている。
【００３７】
その後、図４に示すように、電磁弁Ｖ５を開状態としつつ電磁弁Ｖ９を閉状態とし、その状態にて圧力検出手段（α、β、γ）で検出された圧力（動脈圧、静脈圧、透析液圧）を記憶する（ゼロ値取得工程Ｓ２）。そして、図５に示すように、血液回路側のクランプ手段（Ｖａ、Ｖｂ）を閉状態としつつ配管部の電磁弁Ｖ１１を開状態とすることにより、圧力付与工程Ｓ１で形成された陰圧部の陰圧を連通ラインＬａを介して血液回路側へ伝播させる（伝播工程Ｓ３）。
【００３８】
Ｓ３の後、図６に示すように、血液回路側のクランプ手段Ｖａを開状態とし（Ｓ４）、圧力検出手段αで検出された圧力（動脈圧）がゼロ値取得工程Ｓ２で記憶された圧力から所定値以上変化（所定値以上下降）したか否かが判定され（Ｓ５）、所定値以上変化した場合は、陰圧部の陰圧が連通ラインＬａを介して血液回路側（動脈側血液回路２側）へ正常に伝播したことを確認できるので、Ｓ６に進んで合格（連通ラインＬａの接続及び動脈側血液回路２の先端から血液ポンプ４までの間に閉塞がない適切な接続）と判定する（Ｓ６）。
【００３９】
Ｓ６の後、図７に示すように、血液回路側のクランプ手段Ｖｂを開状態とし（Ｓ７）、圧力検出手段βで検出された圧力（静脈圧）がゼロ値取得工程Ｓ２で記憶された圧力から所定値以上変化（所定値以上下降）したか否かが判定され（Ｓ８）、所定値以上変化した場合は、陰圧部の陰圧が連通ラインＬａを介して血液回路側（静脈側血液回路３側）へ正常に伝播したことを確認できるので、Ｓ９に進んで合格（連通ラインＬａの接続が適切で、さらに静脈側血液回路３の先端から血液ポンプ４までの間に閉塞がない適切な接続）と判定する（Ｓ９）。
【００４０】
一方、Ｓ５にて所定値以上変化しない場合は、陰圧部の陰圧が連結ラインＬａを介して血液回路側（動脈側血液回路２側）に伝播したことが確認できないので、Ｓ１０に進んで不合格（連通ラインＬａが未接続又は動脈側血液回路２の先端から血液ポンプ４までの間に閉塞がある）と判定する。そして、このように不合格と判定された場合、Ｓ１１にて圧力検出手段γの検出値を確認し、ゼロ値取得工程Ｓ２で記憶された圧力から変化していない場合は、Ｓ１２に進んで動脈側血液回路２に閉塞があると判定するとともに、大気圧である場合は、Ｓ１３に進んで連通ラインＬａが動脈側血液回路２側に未接続であると判定する。
【００４１】
また、Ｓ８にて所定値以上変化しない場合は、陰圧部の陰圧が連結ラインＬａを介して血液回路側（静脈側血液回路３側）に伝播したことが確認できないので、Ｓ１４に進んで不合格（連通ラインＬａが未接続又は静脈側血液回路３の先端から血液ポンプ４までの間に閉塞がある）と判定する。そして、このように不合格と判定された場合、Ｓ１５にて圧力検出手段γの検出値を確認し、ゼロ値取得工程Ｓ２で記憶された圧力から変化していない場合は、Ｓ１６に進んで静脈側血液回路３に閉塞があると判定するとともに、大気圧である場合は、Ｓ１７に進んで連通ラインＬａが静脈側血液回路３側に未接続であると判定する。
【００４２】
次に、接続確認テストにおける圧力の推移について、図８のグラフを用いて説明する。
圧力付与工程Ｓ１において、加圧ポンプ９を駆動させると、透析液圧を示す圧力検出手段γで検出される圧力が下降して陰圧が形成されるとともに、ゼロ値取得工程Ｓ２の開始時間Ｔ１にて電磁弁Ｖ５を開状態とすると、圧力検出手段γで検出される圧力は上昇する。その後、伝播工程Ｓ３の開始時間Ｔ２にて電磁弁Ｖ１１を開状態とすると、圧力検出手段γで検出される圧力は動脈側血液回路２のクランプ手段Ｖａを開状態とする時間Ｔ３まで更に上昇する。なお、圧力付与工程Ｓ１の開始時から時間Ｔ３までの間、圧力検出手段αで検出される圧力及び圧力検出手段βで検出される圧力は一定となっている。
【００４３】
そして、動脈側伝播工程Ｓ４の時間Ｔ３にてクランプ手段Ｖａを開状態とすると、圧力検出手段γで検出される圧力は僅かに上昇するとともに、圧力検出手段αで検出される圧力は急激に下降する。その後、静脈側伝播工程Ｓ７の時間Ｔ４にてクランプ手段Ｖｂを開状態とすると、圧力検出手段α及び圧力検出手段γで検出される圧力は急激に上昇するとともに、圧力検出手段βで検出される圧力は僅かに下降する。なお、時間Ｔ３から時間Ｔ４までの間は、圧力検出手段βで検出される圧力は一定となっている。
【００４４】
しかして、接続確認テストの判定工程（本実施形態におけるＳ５、Ｓ８、Ｓ１１、Ｓ１５等）において、圧力変化がより大きい圧力検出手段の検出値を任意選択的に用いることにより、連通ラインＬａの接続の適否の判定及び血液回路の流路の閉塞をより円滑且つ高精度に判定することができる。
【００４５】
本実施形態によれば、圧力付与工程Ｓ１と、伝播工程Ｓ３と、判定工程（Ｓ５、Ｓ８）とを行わせ得るので、連結ラインＬａの接続の適否をより精度よく判定することができる。また、本実施形態に係る判定工程は、連通ラインＬａの接続の適否に加え、血液回路の流路の閉塞を判定し得るので、連結ラインＬａの接続の適否と共に血液回路の閉塞について精度よく判定することができる。
【００４６】
さらに、圧力付与工程Ｓ１は、配管部の流路に対して陰圧又は陽圧を付与させるとともに、伝播工程Ｓ３は、連通ラインＬａを介して血液回路の流路に陰圧又は陽圧を伝播させるので、血液回路が如何なる状態（例えば血液回路が患者に穿刺された状態等）であっても、連結ラインＬａの接続の適否を精度よく判定させることができる。またさらに、圧力付与工程Ｓ１は、配管部の流路に対して陰圧を付与させるので、配管部で形成された陰圧が血液回路に伝播することとなり、陽圧が伝播して配管部内の透析液が意図せず血液回路に流入してしまうのを防止することができる。
【００４７】
特に、本実施形態に係る連通ラインＬａは、配管部における透析液排出ラインＬ２又はその分岐ラインＬ１０に形成された接続ポート１４に接続可能とされたので、例えばプライミング時、血液回路内のプライミング液（置換液としての生理食塩液等）を透析液排出ラインＬ２又はその分岐ラインＬ１０にて排出させることができるとともに、接続確認テストにおいて、その連通ラインＬａの接続の適否を精度よく判定させることができる。
【００４８】
次に、本発明の第２の実施形態に係る血液浄化装置について説明する。
本実施形態に係る血液浄化装置は、第１の実施形態と同様、患者の血液を体外循環させつつ浄化し得る血液浄化治療（血液透析治療）で使用されるもので、図１に示すように、患者の血液を体外循環可能な動脈側血液回路２及び静脈側血液回路３を有する血液回路と、動脈側血液回路２と静脈側血液回路３との間に接続され、当該血液回路を流れる血液を浄化するダイアライザ１（血液浄化手段）と、透析装置本体Ｂ内に配設された透析液導入ラインＬ１及び透析液排出ラインＬ２を含む配管部と、制御手段１６とを具備して構成されている。なお、第１の実施形態と同様の構成要素は同一の符号とし、それらの説明を省略する。
【００４９】
以下、第２の実施形態に係る制御手段１６による接続確認テスト時の具体的制御について、図９のフローチャートを用いて説明する。
先ず、図１に示すように、動脈側血液回路２及び静脈側血液回路３の先端にＹ字管ａを接続するとともに、そのＹ字管ａの先端と接続ポート１４とに連通ラインＬａを接続した状態（プライミングを行うための状態）とする。そして、図３に示すように、配管部の電磁弁（Ｖ２、Ｖ３、Ｖ４、Ｖ５、Ｖ１０、Ｖ１１、Ｖ８又はＶ１２）を閉状態としつつ電磁弁（Ｖ６、Ｖ９）を開状態とし、その状態にて加圧ポンプ９を駆動させることにより、配管部の所定部位に陰圧部を形成する（圧力付与工程Ｓ１）。なお、クランプ手段Ｖｃは、接続確認テストの過程において閉状態が維持されるとともに、配管部における他の電磁弁（電磁弁Ｖ１、Ｖ７等）及び血液回路側の電磁弁やクランプ手段は、開状態及び閉状態の何れであってもよい。また、複式ポンプ７は、接続確認テストの過程において停止状態とされており、リリーフ弁ＶＬａ及び背圧弁ＶＬｂが閉状態となっている。
【００５０】
その後、図４に示すように、電磁弁Ｖ５を開状態としつつ電磁弁Ｖ９を閉状態とし、その状態にて圧力検出手段（α、β、γ）で検出された圧力（動脈圧、静脈圧、透析液圧）を記憶する（ゼロ値取得工程Ｓ２）。そして、図５に示すように、血液回路側のクランプ手段（Ｖａ、Ｖｂ）を閉状態としつつ配管部の電磁弁Ｖ１１を開状態とすることにより、圧力付与工程Ｓ１で形成された陰圧部の陰圧を連通ラインＬａを介して血液回路側へ伝播させる（伝播工程Ｓ３）。なお、伝播工程Ｓ３において、クランプ手段（Ｖａ、Ｖｂ）を開状態としてもよい。
【００５１】
Ｓ３の後、圧力検出手段γで検出された圧力（透析液圧）がゼロ値取得工程Ｓ２で記憶された圧力から所定値以上変化（所定値以上上昇）したか否かが判定され（Ｓ４）、所定値以上変化した場合は、陰圧部の陰圧が連通ラインＬａを介して血液回路側へ正常に伝播したことを確認できるので、Ｓ５に進んで合格（連通ラインＬａの接続及び血液回路に閉塞がない適切な接続）と判定する。なお、Ｓ４において、クランプ手段Ｖａ及びクランプ手段Ｖｂを開としたときには、圧力検出手段α（動脈圧）又は圧力検出手段β（静脈圧）で検出された圧力（透析液圧）がゼロ値取得工程Ｓ２で記憶された圧力から所定値以上変化（所定値以上下降）したか否かを判定するようにしてもよい。
【００５２】
一方、Ｓ４にて所定値以上変化しない場合は、陰圧部の陰圧が連結ラインＬａを介して血液回路側に伝播したことが確認できないので、不合格と判定するとともに、圧力検出手段γで検出された圧力（透析液圧）が大気圧である場合、連通ラインＬａが未接続であるため不合格と判定（Ｓ６）し、圧力検出手段γで検出された圧力（透析液圧）がゼロ値取得工程Ｓ２で記憶された圧力から所定値以上変化（所定値以上上昇）しない場合、血液回路が閉塞しているため不合格と判定（Ｓ７）する。
【００５３】
次に、本発明の第３の実施形態に係る血液浄化装置について説明する。
本実施形態に係る血液浄化装置は、第１の実施形態と同様、患者の血液を体外循環させつつ浄化し得る血液浄化治療（血液透析治療）で使用されるもので、図１１、１２に示すように、患者の血液を体外循環可能な動脈側血液回路２及び静脈側血液回路３を有する血液回路と、動脈側血液回路２と静脈側血液回路３との間に接続され、当該血液回路を流れる血液を浄化するダイアライザ１（血液浄化手段）と、透析装置本体Ｂ内に配設された透析液導入ラインＬ１及び透析液排出ラインＬ２を含む配管部と、制御手段１６とを具備して構成されている。なお、第１の実施形態と同様の構成要素は同一の符号とし、それらの説明を省略する。
【００５４】
本実施形態に係る血液浄化装置は、エアトラップチャンバ６の上部と接続ポート１４との間にオーバーフローラインＬｂが接続されており、当該オーバーフローラインＬｂには、流路を開閉するためのクランプ手段Ｖｄが接続されている。かかるオーバーフローラインＬｂは、透析装置本体Ｂ内の配管部及び血液回路に接続されて、これら配管部の流路と血液回路の流路とを連通得る連通ラインを構成している。しかして、本実施形態においては、プライミング時、動脈側血液回路２及び静脈側血液回路３の先端同士を接続して閉回路とし、収容バッグｂから供給された生理食塩液（置換液）を血液回路に供給して充填させるとともに、オーバーフローした生理食塩液をオーバーフローラインＬｂを介して透析液排出ラインＬ２に排出し得るよう構成されている。
【００５５】
以下、第３の実施形態に係る制御手段１６による接続確認テスト時の具体的制御について、図１０のフローチャートを用いて説明する。
先ず、図１１に示すように、動脈側血液回路２及び静脈側血液回路３の先端同士を連結して閉回路を形成するとともに、エアトラップチャンバ６の上部から延設したオーバーフローラインＬｂを接続ポート１４に接続した状態（プライミングを行うための状態）とする。そして、同図に示すように、配管部の電磁弁（Ｖ２、Ｖ３、Ｖ４、Ｖ５、Ｖ６、Ｖ１１）及びクランプ手段Ｖｄを閉状態としつつ電磁弁Ｖ１０を開状態とし、その状態にて除水ポンプ８を駆動（加圧ポンプ９は停止）させることにより、配管部の所定部位に陰圧部を形成する（圧力付与工程Ｓ１）。この圧力付与工程Ｓ１においては、圧力検出手段（α、β、γ）で検出された圧力（動脈圧、静脈圧、透析液圧）を記憶しておく。なお、クランプ手段Ｖｃは、接続確認テストの過程において閉状態が維持されるとともに、配管部における他の電磁弁及び血液回路側の電磁弁やクランプ手段は、開状態及び閉状態の何れであってもよい。また、複式ポンプ７は、接続確認テストの過程において停止状態とされており、リリーフ弁ＶＬａ及び背圧弁ＶＬｂが閉状態となっている。
【００５６】
その後、Ｓ２にて、圧力検出手段γで検出された圧力（透析液圧）が圧力付与工程Ｓ１で記憶された圧力から所定値以上変化（所定値以上下降）したか否かが判定され（Ｓ２）、所定値以上変化した場合は、Ｓ３に進んで合格とする。一方、Ｓ２にて所定値以上変化しない場合であって、且つ、圧力検出手段γで検出された圧力（透析液圧）が大気圧である場合、オーバーフローラインＬｂが接続ポート１４に未接続であるため不合格と判定（Ｓ７）し、圧力検出手段γで検出された圧力（透析液圧）が圧力付与工程Ｓ１で記憶された圧力から所定値以上変化（所定値以上下降）しない場合、オーバーフローラインＬｂがクランプ手段Ｖｄ（オーバーフロークランプ）に未装着又はクランプ手段Ｖｄが故障であるため不合格と判定（Ｓ８）する。
【００５７】
Ｓ３の後、図１２に示すように、クランプ手段Ｖｄ及び血液回路側のクランプ手段（Ｖａ、Ｖｂ）を開状態としつつ配管部の電磁弁Ｖ１を閉状態とすることにより、圧力付与工程Ｓ１で形成された陰圧部の陰圧をオーバーフローラインＬｂを介して血液回路側へ伝播させる（伝播工程Ｓ４）。そして、圧力検出手段γで検出された圧力（透析液圧）が圧力付与工程Ｓ１で記憶された圧力から所定値以上変化（所定値以上上昇）したか否かが判定され（Ｓ５）、所定値以上変化した場合は、Ｓ６に進んで合格とする。
【００５８】
一方、Ｓ５にて所定値以上変化しない場合であって、且つ、圧力検出手段γで検出された圧力（透析液圧）が圧力付与工程Ｓ１で記憶された圧力から所定値以上変化（所定値以上上昇）しない場合、クランプ手段Ｖｄ（オーバーフロークランプ）の先端が閉塞又は故障であるため不合格と判定（Ｓ９）し、大気圧である場合、血液回路に未接続箇所があるため不合格と判定（Ｓ１０）する。
【００５９】
次に、本発明の第４の実施形態に係る血液浄化装置について説明する。
本実施形態に係る血液浄化装置は、第１の実施形態と同様、患者の血液を体外循環させつつ浄化し得る血液浄化治療（血液透析治療）で使用されるもので、図１に示すように、患者の血液を体外循環可能な動脈側血液回路２及び静脈側血液回路３を有する血液回路と、動脈側血液回路２と静脈側血液回路３との間に接続され、当該血液回路を流れる血液を浄化するダイアライザ１（血液浄化手段）と、透析装置本体Ｂ内に配設された透析液導入ラインＬ１及び透析液排出ラインＬ２を含む配管部と、制御手段１６とを具備して構成されている。なお、第１の実施形態と同様の構成要素は同一の符号とし、それらの説明を省略する。
【００６０】
以下、第４の実施形態に係る制御手段１６による接続確認テスト時の具体的制御について、図１３のフローチャートを用いて説明する。
先ず、図１に示すように、動脈側血液回路２及び静脈側血液回路３の先端にＹ字管ａを接続するとともに、そのＹ字管ａの先端と接続ポート１４とに連通ラインＬａを接続した状態（プライミングを行うための状態）とする。そして、図１４に示すように、配管部の電磁弁（Ｖ２、Ｖ３、Ｖ４、Ｖ９、Ｖ１０、Ｖ１１）を閉状態としつつ電磁弁（Ｖ５、Ｖ８、Ｖ１２）を開状態とし、その状態にて給液圧（透析液導入ラインＬ１にて供給される透析液の液圧）を付与させる（このとき、加圧ポンプ９は停止）ことにより、配管部の所定部位に陽圧部を形成する（圧力付与工程Ｓ１）。このとき、圧力検出手段（α、β、γ）で検出された圧力（動脈圧、静脈圧、透析液圧）を記憶しておく。なお、クランプ手段Ｖｃは、接続確認テストの過程において閉状態が維持されるとともに、配管部における他の電磁弁及び血液回路側の電磁弁やクランプ手段は、開状態及び閉状態の何れであってもよい。また、複式ポンプ７は、接続確認テストの過程において停止状態とされており、リリーフ弁ＶＬａ及び背圧弁ＶＬｂが閉状態となっている。
【００６１】
その後、図１５に示すように、電磁弁Ｖ１０を開状態としつつ血液回路側のクランプ手段Ｖａを閉状態及びクランプ手段Ｖｂを開状態とすることにより、圧力付与工程Ｓ１で形成された陽圧部の陽圧を連通ラインＬａを介して血液回路側へ伝播させる（伝播工程Ｓ２）。なお、伝播工程Ｓ２において、クランプ手段Ｖａを開状態及びクランプ手段Ｖｂを閉状態、或いはクランプ手段（Ｖａ、Ｖｂ）を開状態としてもよい。
【００６２】
Ｓ２の後、圧力検出手段γで検出された圧力（透析液圧）が圧力付与工程Ｓ１で記憶された圧力から所定値以上変化（所定値以上下降）したか否かが判定され（Ｓ３）、所定値以上変化した場合は、陽圧部の陽圧が連通ラインＬａを介して血液回路側へ正常に伝播したことを確認できるので、Ｓ４に進んで合格（連通ラインＬａの接続及び血液回路に閉塞がない適切な接続）と判定する。
【００６３】
一方、Ｓ３にて所定値以上変化しない場合は、陽圧部の陽圧が連結ラインＬａを介して血液回路側に伝播したことが確認できないので、不合格と判定するとともに、圧力検出手段γで検出された圧力（透析液圧）が圧力付与工程Ｓ１で記憶された圧力から所定値以上変化（所定値以上下降）しない場合、血液回路が閉塞しているため不合格と判定（Ｓ５）し、圧力検出手段γで検出された圧力（透析液圧）が大気圧である場合、連通ラインＬａが未接続であるため不合格と判定（Ｓ６）する。
【００６４】
次に、本発明の第５の実施形態に係る血液浄化装置について説明する。
本実施形態に係る血液浄化装置は、第１の実施形態と同様、患者の血液を体外循環させつつ浄化し得る血液浄化治療（血液透析治療）で使用されるもので、図１７〜２０に示すように、患者の血液を体外循環可能な動脈側血液回路２及び静脈側血液回路３を有する血液回路と、動脈側血液回路２と静脈側血液回路３との間に接続され、当該血液回路を流れる血液を浄化するダイアライザ１（血液浄化手段）と、透析装置本体Ｂ内に配設された透析液導入ラインＬ１及び透析液排出ラインＬ２を含む配管部と、制御手段１６とを具備して構成されている。なお、第１の実施形態と同様の構成要素は同一の符号とし、それらの説明を省略する。
【００６５】
本実施形態に係る血液浄化装置は、エアトラップチャンバ６の上部から液面調整ポンプ１７及び電磁弁Ｖ１４を具備した液面調整ラインＬ１１が延設されている。そして、電磁弁Ｖ１４を開状態としつつ液面調整ポンプ１７を正転駆動させることにより、エアトラップチャンバ６内の空気が外部に排出されて液面が上昇するとともに、液面調整ポンプ１７を逆転駆動させることにより、エアトラップチャンバ６内に空気が導入されて液面が下降するようになっている。
【００６６】
以下、第５の実施形態に係る制御手段１６による接続確認テスト時の具体的制御について、図１６のフローチャートを用いて説明する。
先ず、図１７に示すように、動脈側血液回路２及び静脈側血液回路３の先端にＹ字管ａを接続するとともに、そのＹ字管ａの先端と接続ポート１４とに連通ラインＬａを接続した状態（プライミングを行うための状態）とする。そして、同図に示すように、配管部の電磁弁（Ｖ１、Ｖ２）を閉状態としつつ血液回路側のクランプ手段（Ｖａ、Ｖｂ）を閉状態及び電磁弁Ｖ１４を開状態とし、その状態にて液面調整ポンプ１７を正転駆動させることにより、同図の点線で示す部位に陰圧部を形成する（圧力付与工程Ｓ１）。この圧力付与工程Ｓ１においては、圧力検出手段αで検出された圧力（動脈圧）及び圧力検出手段βで検出された圧力（静脈圧）を記憶しておく。なお、クランプ手段Ｖｃは、接続確認テストの過程において閉状態が維持されるとともに、配管部における他の電磁弁及び血液回路側の電磁弁やクランプ手段は、開状態及び閉状態の何れであってもよい。また、複式ポンプ７は、接続確認テストの過程において停止状態とされており、リリーフ弁ＶＬａ及び背圧弁ＶＬｂが閉状態となっている。
【００６７】
その後、図１８に示すように、クランプ手段Ｖａの閉状態を維持しつつクランプ手段Ｖｂを開状態とする（すなわち、クランプ手段Ｖａが閉状態及びクランプ手段Ｖｂが開状態）とともに、電磁弁Ｖ１４及び配管部側の電磁弁（Ｖ１０、Ｖ１１）を閉状態とすることにより、圧力付与工程Ｓ１で形成された陰圧部の陰圧を連通ラインＬａを介して透析装置本体Ｂの配管部側へ伝播させる（伝播工程Ｓ２）。そして、圧力検出手段βで検出された圧力（静脈圧）が圧力付与工程Ｓ１で記憶された圧力から所定値以上変化（所定値以上上昇）したか否かが判定され（Ｓ３）、所定値以上変化した場合は、静脈側血液回路３における陰圧部の陰圧が連通ラインＬａを介して配管部側へ正常に伝播したことを確認できるので、Ｓ４に進んで合格（静脈側血液回路３が連通ラインＬａに適切に接続）と判定する。
【００６８】
その後、図１９に示すように、クランプ手段Ｖａを開状態（すなわち、クランプ手段Ｖａ及びクランプ手段Ｖｂの両方が開状態）としつつ電磁弁（Ｖ１４、Ｖ１０、Ｖ１１）の閉状態を維持することにより、連通ラインＬａを介した陰圧の伝播を維持した状態（伝播工程Ｓ５）とする。そして、圧力検出手段αで検出された圧力（動脈圧）が圧力付与工程Ｓ１で記憶された圧力から所定値以上変化（所定値以上上昇）したか否かが判定され（Ｓ６）、所定値以上変化した場合は、動脈側血液回路２における陰圧部の陰圧が連通ラインＬａを介して配管部側へ正常に伝播したことを確認できるので、Ｓ７に進んで合格（動脈側血液回路２が連通ラインＬａに適切に接続）と判定する。
【００６９】
Ｓ７の後、図２０に示すように、Ｓ８にて配管部側の電磁弁Ｖ１２を閉状態及び電磁弁Ｖ１１を開状態（電磁弁Ｖ９は開状態を維持）とする。そして、Ｓ９にて、圧力検出手段βで検出された圧力（静脈圧）が圧力付与工程Ｓ１で記憶された圧力から所定値以上変化したか否かが判定され、圧力検出手段βで検出された圧力（静脈圧）が大気圧である場合、Ｓ１０に進んで合格であると判定されるとともに、変化しない場合、連通ラインＬａに閉塞があるとして不合格と判定（Ｓ１１）される。
【００７０】
一方、Ｓ３にて圧力検出手段βで検出された圧力（静脈圧）が大気圧まで上昇した場合、静脈側血液回路３が連通ラインＬａに未接続であり不合格と判定（Ｓ１２）し、変化しない場合、クランプ手段Ｖｂ（静脈クランプ）が故障であるため不合格と判定（Ｓ１３）する。また、Ｓ６にて圧力検出手段αで検出された圧力（動脈圧）が大気圧まで上昇した場合、動脈側血液回路２が連通ラインＬａに未接続であり不合格と判定（Ｓ１４）し、変化しない場合、動脈側血液回路２に閉塞があるため不合格と判定（Ｓ１５）する。
【００７１】
上記においては、圧力付与工程Ｓ１において血液回路の流路に陰圧を付与しているが、陽圧を付与するようにしてもよい。本実施形態によれば、圧力付与工程Ｓ１は、血液回路の流路に対して陰圧又は陽圧を付与させるとともに、伝播工程Ｓ２は、連通ラインＬａを介して配管部の流路に陰圧又は陽圧を伝播させるので、配管部が如何なる状態であっても、連結ラインの接続の適否を精度よく判定させることができる。
【００７２】
以上、本実施形態について説明したが、本発明はこれらに限定されるものではなく、例えば、先端が採取口１０や配管部の他の部位（例えば迂回ラインＬ５等）に接続された連通ラインの接続確認テストを行うものであってもよい。また、圧力付与工程における陰圧又は陽圧を付与する手段、伝播工程による陰圧又は陽圧の伝播の有無を確認する手段等は、加圧ポンプ９や液面調整ポンプ１７とは異なる他の手段としてもよい。なお、本実施形態が適用される血液浄化装置は、何れの形態のものであってもよく、例えば、複式ポンプ７に代えてチャンバにて透析液を導入又は排出させるもの、ダイアライザ１に代えて他の形態の血液浄化器を具備したもの等としてもよい。
【産業上の利用可能性】
【００７３】
配管部又は血液回路の一方の流路に対して陰圧又は陽圧を付与させる圧力付与工程と、圧力付与工程で付与された陰圧又は陽圧を、連通ラインを介して配管部又は血液回路の他方の流路に伝播させる伝播工程と、圧力検出手段で検出される圧力に基づいて伝播工程による陰圧又は陽圧の伝播の有無を確認するとともに、当該陰圧又は陽圧の伝播の有無に基づいて連通ラインの接続の適否を判定する判定工程とを行わせ得る血液浄化装置であれば、外観形状が異なるもの、或いは他の機能が付加されたもの等にも、本発明を適用することができる。
【符号の説明】
【００７４】
１  ダイアライザ（血液浄化手段）
２  動脈側血液回路
３  静脈側血液回路
４  血液ポンプ
５、６  エアトラップチャンバ
７  複式ポンプ
８  除水ポンプ
９  加圧ポンプ
１０  採取口
１１、１２  フィルタ
１３  脱ガスチャンバ
１４  接続ポート
１５  チャンバ
１６  制御手段
Ｌ１  透析液導入ライン
Ｌ２  透析液排出ライン
Ｌ３、Ｌ４、Ｌ５、Ｌ６  迂回ライン
Ｌ７、Ｌ８、Ｌ９  バイパスライン
Ｌ１０  分岐ライン
Ｌａ  連通ライン
Ｌｂ  連通ライン
Ｌｃ  供給ライン
α、β、γ  圧力検出手段
【図１】
2017131276.tif 000003
【図２】
2017131276.tif 000004
【図３】
2017131276.tif 000005
【図４】
2017131276.tif 000006
【図５】
2017131276.tif 000007
【図６】
2017131276.tif 000008
【図７】
2017131276.tif 000009
【図８】
2017131276.tif 000010
【図９】
2017131276.tif 000011
【図１０】
2017131276.tif 000012
【図１１】
2017131276.tif 000013
【図１２】
2017131276.tif 000014
【図１３】
2017131276.tif 000015
【図１４】
2017131276.tif 000016
【図１５】
2017131276.tif 000017
【図１６】
2017131276.tif 000018
【図１７】
2017131276.tif 000019
【図１８】
2017131276.tif 000020
【図１９】
2017131276.tif 000021
【図２０】
2017131276.tif 000022